(57)【要約】【課題】下方向へ移動しながらはつる際においても、はつり粉塵を取りこぼすことなく集塵することができるはつり装置を提供する。【解決手段】先端部１４に設けられた切削ビット１６を被はつり体の表面に沿って上下方向に移動させることにより被はつり体の表面をはつるはつり装置１０であって、切削ビット１６を内側に囲むように環状に取り付けられ、切削ビット１６によるはつり粉塵を集塵する集塵カバー２０と、集塵カバー２０の外側下方に取り付けられ、集塵カバー２０の外側にあるはつり粉塵を捕捉するための開口部２２からなる集塵ノズル２４とを備えるようにする。【選択図】図１
2014109122.tif 000002
【特許請求の範囲】
【請求項１】
先端部に設けられた切削ビットを被はつり体の表面に沿って上下方向に移動させることにより前記被はつり体の表面をはつるはつり装置であって、前記切削ビットを内側に囲むように環状に取り付けられ、前記切削ビットによるはつり粉塵を集塵する集塵カバーと、前記集塵カバーの外側下方に取り付けられ、前記集塵カバーの外側にあるはつり粉塵を捕捉するための開口部からなる集塵ノズルとを備えることを特徴とするはつり装置。
【請求項２】
前記集塵カバーは前記切削ビットを内側に囲むように円環状に取り付けられ、前記集塵ノズルの開口部の開口形状を前記集塵カバーの下側に隣接して延びる略円弧状としたことを特徴とする請求項１に記載のはつり装置。
【請求項３】
前記切削ビットの基部側に設けられ、前記集塵カバーにより集塵されたはつり粉塵を回収するための集塵部をさらに備え、前記集塵部は、前記集塵ノズルの開口部により捕捉されたはつり粉塵を回収可能に構成されることを特徴とする請求項１または２に記載のはつり装置。
【発明の詳細な説明】
【技術分野】
【０００１】
本発明は、被はつり体表面をはつる（切削する）際に用いられるはつり装置に関し、特に、コンクリート壁面のはつり作業において使用されるスパイキハンマーなどのはつり装置に関するものである。
【背景技術】
【０００２】
従来、スパイキハンマーのような機械的打撃による表面剥離方式のはつり機械を使用したコンクリート壁面のはつり（切削）作業が知られている（例えば、本出願人による特許文献１または非特許文献１を参照）。図４は従来のスパイキハンマーのヘッド部の概略構成を示す図であり、図５はこのスパイキハンマーによるコンクリートのはつり作業の一般的な実施態様を説明したものである。
【０００３】
図４に示すように、スパイキハンマー１の前端の円筒状のヘッド部２には複数本のハンマー４（チゼルロッド）が近接配置されている。各ハンマー４の先端には切削ビット５が複数取り付けてあり、ハンマー４の根元の図示しないエアーピストンに図外のエアーコンプレッサーから供給される圧縮空気が常時入るようにしてある。このエアーピストンによって飛び出したハンマー４がコンクリートを打撃した後、後退して再びエアーピストンにより飛び出してコンクリートを繰り返し叩打することによりコンクリートをはつるようになっている。
【０００４】
ここで、スパイキハンマー１の前端には、ヘッド部２の周囲を覆うようにナイロンなどの材質で構成された集塵カバーブラシ６が前方に向けて環状に突設してある。また、ヘッド部２の後方外周には、集塵カバーブラシ６の内側と連通した中空環状部からなる集塵部７が設けてあり、集塵部７の下側に設けた開口部８にバキュームホース９が連通している。なお、スパイキハンマー１の後端は図示しない重機に取り付けてある。
【０００５】
このスパイキハンマー１を用いたはつり作業においては、図５に示すように、集塵カバーブラシ６をコンクリート壁面３に押し付けながらヘッド部２を壁面３に沿って上下方向に繰り返し移動させることにより、所定の深さになるまではつるが、この際にコンクリートから発生する細かいコンクリート塊や粉体といったはつり片・粉塵は、集塵カバーブラシ６に案内されるようにして集塵部７に一時的に回収された後、開口部８とバキュームホース９を介して図外の集塵機に吸引されるようになっている。こうすることで、はつり片や粉塵が周辺に飛散するのを防ぐようにしている。
【先行技術文献】
【特許文献】
【０００６】
【特許文献１】特願２０１１−２６５０２６号
【非特許文献】
【０００７】
【非特許文献１】「汚染コンクリート除染技術の開発」、小栗第一郎・鳥居和敬・塚原裕一、デコミッショニング技報第３０号、財団法人原子力研究バックエンド推進センター（ＲＡＮＤＥＣ）発行、２００４年９月
【発明の概要】
【発明が解決しようとする課題】
【０００８】
ところで、ある程度はつり作業が進むと、図５に示すように、スパイキハンマー１を下方向へ移動しながらはつる際、既にはつられたコンクリート壁面３を集塵カバーブラシ６の下側部分が撫でることによってこの部分に付着していたはつり片・粉塵３ａが掃かれてしまい、集塵部７に集塵されずに取りこぼしてしまうことがある。これは、特に放射性物質で汚染されたコンクリート表面のはつり除染作業等のような高い粉塵回収性能が要求される作業においては、解決が望まれていた問題であった。
【０００９】
本発明は、上記に鑑みてなされたものであって、下方向へ移動しながらはつる際においても、はつり粉塵を取りこぼすことなく集塵することができるはつり装置を提供することを目的とする。
【課題を解決するための手段】
【００１０】
上記した課題を解決し、目的を達成するために、本発明に係るはつり装置は、先端部に設けられた切削ビットを被はつり体の表面に沿って上下方向に移動させることにより前記被はつり体の表面をはつるはつり装置であって、前記切削ビットを内側に囲むように環状に取り付けられ、前記切削ビットによるはつり粉塵を集塵する集塵カバーと、前記集塵カバーの外側下方に取り付けられ、前記集塵カバーの外側にあるはつり粉塵を捕捉するための開口部からなる集塵ノズルとを備えることを特徴とする。
【００１１】
また、本発明に係る他のはつり装置は、上述した発明において、前記集塵カバーは前記切削ビットを内側に囲むように円環状に取り付けられ、前記集塵ノズルの開口部の開口形状を前記集塵カバーの下側に隣接して延びる略円弧状としたことを特徴とする。
【００１２】
また、本発明に係る他のはつり装置は、上述した発明において、前記切削ビットの基部側に設けられ、前記集塵カバーにより集塵されたはつり粉塵を回収するための集塵部をさらに備え、前記集塵部は、前記集塵ノズルの開口部により捕捉されたはつり粉塵を回収可能に構成されることを特徴とする。
【発明の効果】
【００１３】
本発明によれば、先端部に設けられた切削ビットを被はつり体の表面に沿って上下方向に移動させることにより前記被はつり体の表面をはつるはつり装置であって、前記切削ビットを内側に囲むように環状に取り付けられ、前記切削ビットによるはつり粉塵を集塵する集塵カバーと、前記集塵カバーの外側下方に取り付けられ、前記集塵カバーの外側にあるはつり粉塵を捕捉するための開口部からなる集塵ノズルとを備えるので、はつり装置を下方向へ移動しながらはつる際、既にはつられた被はつり体表面を集塵カバーの下側部分が撫でることによってこの部分に付着していたはつり粉塵が掃かれたとしても、このはつり粉塵は、集塵カバーの外側下方に取り付けられた集塵ノズルの開口部によって捕捉され得る。したがって、本発明によれば、下方向へ移動しながらはつる際においても、はつり粉塵を取りこぼすことなく集塵することができるという効果を奏する。
【図面の簡単な説明】
【００１４】
【図１】図１は、本発明に係るはつり装置の実施例を示す斜視図である。
【図２】図２は、本発明に係るはつり装置の実施例を示す正面図である。
【図３】図３は、本発明に係るはつり装置の実施例を示す側断面図である。
【図４】図４は、従来のスパイキハンマーのヘッド部の概略構成を示す斜視図である。
【図５】図５は、従来のスパイキハンマーによるコンクリート壁面のはつり作業の実施態様を示す斜視図である。
【発明を実施するための形態】
【００１５】
以下に、本発明に係るはつり装置の実施の形態を図面に基づいて詳細に説明する。なお、この実施例では、はつり装置の基本構成となるはつり機械としてスパイキハンマーの場合を例にとり、コンクリート（被はつり体）をはつる場合を想定して説明するが、本発明は他の形式のはつり機械を用いた場合でも適用可能であり、この実施例によりこの発明が限定されるものではない。
【００１６】
図１は本発明に係るはつり装置の斜視図、図２は正面図、図３は側断面図である。
図１〜図３に示すように、本発明に係るはつり装置１０は、円柱状の本体１２の先端部１４に設けられた切削ビット１６を有するハンマー１８をコンクリート壁面に沿って上下方向に移動させることによりコンクリート壁面をはつるスパイキハンマー型のはつり装置であって、集塵カバーブラシ２０（集塵カバー）と、開口部２２からなる集塵ノズル２４とを備える。なお、はつり装置１０の後端は図示しない重機に取り付けてあり、重機側の操作により上下方向の移動が可能である。
【００１７】
集塵カバーブラシ２０は、複数のハンマー１８を内側に囲むように円環状に取り付けられ、ハンマー１８によるはつり片・粉塵を集塵するためのものである。この集塵カバーブラシ２０は、ナイロン、ポリプロピレン、塩化ビニールなどの材質で構成可能であるが、これ以外の材質で構成してももちろん構わない。
【００１８】
また、集塵ノズル２４の開口部２２は、集塵カバーブラシ２０の外側下方に隣接して取り付けられ、集塵カバーブラシ２０の外側にあるはつり片・粉塵を捕捉するためのものである。この開口部２２の開口形状は、集塵カバーブラシ２０の下側に隣接して延びる略円弧状としてある。
【００１９】
ハンマー１８の基部２６側の外周には、集塵部２８が設けてある。この集塵部２８は、集塵カバーブラシ２０により集塵されたはつり片・粉塵を一時的に回収するためのものであり、集塵カバーブラシ２０の内側と連通した中空環状の中空環状部２８ａと、その下側に連通した中空矩形状の導流部２８ｂとで構成されている。
【００２０】
導流部２８ｂの下側後面にはバキュームホース３０と連通する開口部２８ｃが設けてある。また、導流部２８ｂは、集塵ノズル２４と連通しており、開口部２２により捕捉されたはつり片・粉塵を回収可能になっている。バキュームホース３０は図外の集塵機に接続してあり、集塵ノズル２４の開口部２２には、この集塵機からの吸引力によって集塵部２８側に吸引しようとする向きの吸引力が常時作用している。このため、集塵部２８に一時的に回収されたはつり片・粉塵は、開口部２８ｃおよびバキュームホース３０を介して集塵機に吸引・回収されるようになっている。こうすることで、はつり片・粉塵が周辺に飛散するのを防いでいる。
【００２１】
上記のように構成した本発明によれば、はつり装置１０を下方向へ移動しながらはつる際、既にはつられたコンクリート壁面を集塵カバーブラシ２０の下側部分が撫でることによってこの部分に付着していたはつり片・粉塵が掃かれたとしても、このはつり片・粉塵は、集塵カバーブラシ２０の外側下方に取り付けられた集塵ノズル２４の吸引力が作用する開口部２２によって捕捉され得る。したがって、本発明によれば、はつり装置１０を下方向へ移動しながらはつる際においても、はつり片・粉塵を取りこぼすことなく集塵することができる。
【００２２】
また、スパイキハンマーを用いた上記の特許文献１のような従来のコンクリート壁面のはつりシステムにおける集塵率は９８％と十分高いものである。しかしながら、放射性物質で汚染されたコンクリート表面のはつり除染作業等におけるその集塵率は１００％であることが要求されるが、本発明に係るはつり装置によれば、下方向へ移動しながらはつる際においても、はつり片・粉塵を取りこぼすことなく集塵することができるので、その集塵率は限りなく１００％に近づくものとなる。
【００２３】
なお、上記の実施の形態において、はつり装置１０における集塵カバーブラシ２０の寸法、集塵ノズル２４の開口部２２の寸法としては、例えば図３に示すように、本体１２の外径Ｄを３００ｍｍ程度とした場合には、集塵カバーブラシ２０の突出長Ｌ１を５０ｍｍ程度、集塵カバーブラシ２０の取り付け端から集塵部２８までの延長Ｌ２を１００ｍｍ程度、集塵ノズル２４の開口部２２の上下方向の開口高さＬ３を１００ｍｍ程度として構成してもよい。
【００２４】
また、上記の実施の形態において、集塵部２８は円柱状の本体１２に対して着脱自在に構成するようにしてもよい。
【００２５】
以上説明したように、本発明によれば、先端部に設けられた切削ビットを被はつり体の表面に沿って上下方向に移動させることにより前記被はつり体の表面をはつるはつり装置であって、前記切削ビットを内側に囲むように環状に取り付けられ、前記切削ビットによるはつり粉塵を集塵する集塵カバーと、前記集塵カバーの外側下方に取り付けられ、前記集塵カバーの外側にあるはつり粉塵を捕捉するための開口部からなる集塵ノズルとを備えるので、はつり装置を下方向へ移動しながらはつる際、既にはつられた被はつり体表面を集塵カバーの下側部分が撫でることによってこの部分に付着していたはつり粉塵が掃かれたとしても、このはつり粉塵は、集塵カバーの外側下方に取り付けられた集塵ノズルの開口部によって捕捉され得る。したがって、本発明によれば、下方向へ移動しながらはつる際においても、はつり粉塵を取りこぼすことなく集塵することができる。
【産業上の利用可能性】
【００２６】
以上のように、本発明に係るはつり装置は、コンクリート壁面のはつり作業において使用されるスパイキハンマーなどのはつり装置に有用であり、特に、下方向へ移動しながらはつる際においても、はつり粉塵を取りこぼすことなく集塵するのに適している。
【符号の説明】
【００２７】
１０  はつり装置
１２  本体
１４  先端部
１６  切削ビット
１８  ハンマー
２０  集塵カバーブラシ（集塵カバー）
２２  開口部
２４  集塵ノズル
２６  基部
２８  集塵部
２８ａ  中空環状部
２８ｂ  導流部
２８ｃ  開口部
３０  バキュームホース
【図１】
2014109122.tif 000003
【図２】
2014109122.tif 000004
【図３】
2014109122.tif 000005
【図４】
2014109122.tif 000006
【図５】
2014109122.tif 000007